(57)【特許請求の範囲】
【請求項１】
表示装置と、
第１情報処理装置と
を有し、
前記表示装置は、
外部機器と第１方式の無線通信を行う第１無線通信手段と、
前記第１方式の無線通信をする際に用いられる接続情報を記憶する内蔵無線タグと、
前記内蔵無線タグに記憶されている接続情報に適合した接続情報を用いて前記第１方式で無線接続してきた前記外部機器から前記第１無線通信手段を介して受信した映像を表示する表示手段と、
前記内蔵無線タグに記憶されている接続情報を変更する変更手段と
を有し、
前記第１情報処理装置は、
第２方式に従って出力された電磁波で起電されて無線応答信号を出力する無線タグに対し情報の読み出しまたは書き込みのため当該第２方式の無線通信を行う無線リーダー／ライターと、
前記変更された接続情報を、前記無線リーダー／ライターを介して前記内蔵無線タグから取得する取得手段と、
前記取得手段により取得された接続情報を外部無線タグに書き込むための信号を、前記無線リーダー／ライターに出力させる書き込み手段と
を有し、
前記表示装置において前記内蔵無線タグは、前記第２方式によって出力された電磁波で起電をし、当該起電をしたときに前記内蔵無線タグに記憶されている接続情報を当該第２方式に従って出力する
情報処理システム。
【請求項２】
前記表示装置は、前記第２方式に従って前記無線タグに情報を書き込む無線リーダー／ライターを有さない
ことを特徴とする請求項１に記載の情報処理システム。
【請求項３】
前記第１情報処理装置は、
前記表示装置と前記第１方式の無線通信を行う第２無線通信手段と、
前記表示装置と前記第１方式の無線通信をしているときに、当該無線通信に用いられる接続情報を変更するユーザーの指示を受け付ける受け付け手段と、
前記受け付け手段が受け付けた指示に従って前記接続情報を変更させるための情報を、前記第２無線通信手段を介して前記表示装置に送信する送信手段と
を有し、
前記取得手段は、前記変更された接続情報を、前記受け付け手段を介して取得する
ことを特徴とする請求項１に記載の情報処理システム。
【請求項４】
第２情報処理装置を有し、
前記第２情報処理装置は、
前記表示装置と前記第１方式の無線通信を行う第３無線通信手段と、
前記第２方式に従って出力された電磁波で起電されて無線応答信号を出力する無線タグに対し、当該第２方式の無線通信を行う第２無線リーダー／ライターと、
前記外部無線タグに記憶されている接続情報を、前記第２無線リーダー／ライターを介して読み出す読み出し手段と、
前記読み出し手段により読み出された接続情報を用いて前記第３無線通信手段を介して前記表示装置に無線接続する接続手段と、
前記接続手段により接続されている前記表示装置に映像を送信する送信手段と
を有する
ことを特徴とする請求項１ないし３のいずれか一項に記載の情報処理システム。
【請求項５】
前記表示装置は制御装置を有し、
前記内蔵無線タグに記憶されている接続情報は、有線インターフェースを介して、前記無線タグから前記制御装置に出力される
ことを特徴とする請求項１ないし４のいずれか一項に記載の情報処理システム。
【発明の詳細な説明】
【技術分野】
【０００１】
本発明は、情報処理システムに関する。
【背景技術】
【０００２】
スマートフォンやタブレット端末等の情報処理装置を、無線ＬＡＮ（Local Area Network）によりプロジェクター等の表示装置に接続する技術が知られている。さらに、無線ＬＡＮ接続の確立に、近距離無線通信（Near Field Communication、ＮＦＣ）を用いる技術が知られている。例えば特許文献１は、携帯通信装置が、ＮＦＣの伝送を検出することによって無線ＬＡＮの存在を検出し、無線ＬＡＮへの接続を促進する技術を開示している。
【先行技術文献】
【特許文献】
【０００３】
【特許文献１】特表２０１２−５０２５５４号公報
【発明の概要】
【発明が解決しようとする課題】
【０００４】
特許文献１に記載の技術においては、表示装置の接続情報が変更された場合に、その接続情報を共有することが困難であるという問題があった。
【０００５】
これに対し本発明は、表示装置の接続情報が変更された場合であっても、その接続情報を他の情報処理装置と共有することを容易にする技術を提供する。
【課題を解決するための手段】
【０００６】
本発明は、表示装置と、第１情報処理装置とを有し、前記表示装置は、外部機器と第１方式の無線通信を行う第１無線通信手段と、前記第１方式の無線通信をする際に用いられる接続情報を記憶する記憶手段と、前記記憶手段に記憶されている接続情報に適合した接続情報を用いて前記第１方式で無線接続してきた前記外部機器から前記第１無線通信手段を介して受信した映像を表示する表示手段と前記記憶手段に記憶されている接続情報を変更する変更手段とを有し、前記第１情報処理装置は、第２方式に従って出力された電磁波で起電されて無線応答信号を出力する無線タグに対し情報の読み出しまたは書き込みのため当該第２方式の無線通信を行う無線リーダー／ライターと、前記変更された接続情報を取得する取得手段と、前記取得手段により取得された接続情報を第１無線タグに書き込むための信号を、前記無線リーダー／ライターに出力させる書き込み手段とを有する情報処理システムを提供する。
【０００７】
この情報処理システムによれば、表示装置の接続情報が変更された場合であっても、その接続情報を第１情報処理装置と容易に共有することができる。
【０００８】
前記表示装置は、前記第２方式によって出力された電磁波で起電をし、当該起電をしたときに前記記憶手段に記憶されている接続情報を当該第２方式に従って出力する第２無線タグを有してもよい。
【０００９】
この情報処理システムによれば、第２無線タグを有さない場合と比較して容易に接続情報を得ることができる。
【００１０】
前記取得手段は、前記変更された接続情報を、前記無線リーダー／ライターを介して前記第２無線タグから取得してもよい。
【００１１】
この情報処理システムによれば、第２無線タグを用いない場合と比較して容易に接続情報を得ることができる。
【００１２】
前記表示装置は、前記第２方式に従って前記無線タグに情報を書き込む無線リーダー／ライターを有さなくてもよい。
【００１３】
この情報処理システムによれば、表示装置が無線リーダー／ライターを有する場合と比較してコストを低減することができる。
【００１４】
前記第１情報処理装置は、前記表示装置と前記第１方式の無線通信を行う第２無線通信手段と、前記表示装置と前記第１方式の無線通信をしているときに、当該無線通信に用いられる接続情報を変更するユーザーの指示を受け付ける受け付け手段と、前記受け付け手段が受け付けた指示に従って前記接続情報を変更させるための情報を、前記第２無線通信手段を介して前記表示装置に送信する送信手段とを有し、前記取得手段は、前記変更された接続情報を、前記受け付け手段を介して取得してもよい。
【００１５】
この情報処理システムによれば、第１情報処理装置を介して接続情報を更新することができる。
【００１６】
この情報処理システムは第２情報処理装置を有し、前記第２情報処理装置は、前記表示装置と前記第１方式の無線通信を行う第３無線通信手段と、前記第２方式に従って出力された電磁波で起電されて無線応答信号を出力する無線タグに対し、当該第２方式の無線通信を行う第２無線リーダー／ライターと、前記第１無線タグに記憶されている接続情報を、前記第２無線リーダー／ライターを介して読み出す読み出し手段と、前記読み出し手段により読み出された接続情報を用いて前記第３無線通信手段を介して前記表示装置に無線接続する接続手段と、前記接続手段により接続されている前記表示装置に映像を送信する送信手段とを有してもよい。
【００１７】
この情報処理システムによれば、第２情報処理装置は、表示装置との無線接続を容易に確立することができる。
【００１８】
また、本発明は、プロセッサーと、外部機器と第１方式の無線通信を行う無線通信インターフェースと、前記第１方式の無線通信に用いられる接続情報を記憶する第１メモリーと、無線タグと、表示部とを有し、前記無線タグは、前記プロセッサーと接続された有線インターフェースと、第２方式に従って出力された電磁波で起電され、前記プロセッサーにより前記有線インターフェースを介して指定された接続情報を含む無線応答信号を出力する無線応答部とを有し、前記プロセッサーは、前記第１メモリーに記憶されている接続情報と適合する接続情報を用いて接続してきた情報処理装置と前記第１無線通信手段を介して前記第１方式の無線通信を行い、前記第１方式の無線通信を介して前記情報処理装置から受信した映像を前記表示部に表示させる表示装置を提供する。
【００１９】
この表示装置によれば、表示装置の接続情報が変更された場合であっても、その接続情報を第１情報処理装置と容易に共有することができる。
【００２０】
前記無線タグは、前記プロセッサーにより前記有線インターフェースを介して指定された接続情報を記憶する第２メモリーを有し、前記無線応答部は、前記第２方式に従って出力された電磁波で起電されると、前記第２メモリーに記憶されている接続情報を含む無線応答信号を出力してもよい。
【００２１】
前記無線タグは、前記第２方式に従って出力された電磁波で起電されると、前記有線インターフェースを介して前記プロセッサーに通知を行い、前記通知を受けると、前記プロセッサーは、前記第１メモリーに記憶されている接続情報を含む無線応答信号を出力させるための信号を、前記有線インターフェースを介して前記無線タグに出力してもよい。
【図面の簡単な説明】
【００２２】
【図１】一実施形態に係る情報処理システム１の構成の概要を示す図。
【図２】情報処理システム１の機能構成を示す図。
【図３】画像出力装置１０のハードウェア構成を例示する図。
【図４】無線タグ１０８の構成を例示する図。
【図５】情報処理装置２０のハードウェア構成を例示する図。
【図６】無線タグ３０のハードウェア構成を例示する図。
【図７】画像出力装置１０と情報処理装置２０との接続処理を示すフローチャート。
【図８】無線タグ３０に記憶されている接続情報の変更処理を示すフローチャート。
【図９】情報処理システム１の利用例を示す図。
【発明を実施するための形態】
【００２３】
１．構成
図１は、一実施形態に係る情報処理システム１の構成の概要を示す図である。情報処理システム１は、画像出力装置１０、情報処理装置２０、および無線タグ３０を有する。画像出力装置１０は、画像または映像を出力する装置、例えばプロジェクターである。情報処理装置２０は、例えばスマートフォンである。情報処理システム１において、情報処理装置２０は、無線タグ３０から読み取った情報を用いて、画像出力装置１０と無線接続する。画像出力装置１０は、この無線接続を介して情報処理装置２０から受信した画像を出力する。なお、情報処理システム１は、情報処理装置２０および無線タグ３０を複数、有していてもよい。複数の情報処理装置２０の各々を区別するときは、情報処理装置２０Ａ、２０Ｂ、・・・というように添字を用いる。無線タグ３０についても同様である。
【００２４】
図２は、情報処理システム１の機能構成を示す図である。以下、画像出力装置１０が表示装置、より具体的には画像（映像）を投写するプロジェクターである例を説明する。
【００２５】
画像出力装置１０は、無線通信手段１１、記憶手段１２、変更手段１３、表示手段１４を有する。無線通信手段１１は、外部機器（例えば情報処理装置２０）と第１方式の無線通信を行う。第１方式は、いわゆる無線ＬＡＮの規格、例えばＩＥＥＥ８０２．１１に準拠した方式である。無線通信手段１１は、例えば、無線ＬＡＮのアクセスポイントとしての機能を提供する。記憶手段１２は、第１方式の無線通信をする際に用いられる接続情報を記憶する。接続情報は、例えば、無線ＬＡＮのアクセスポイントの識別子（Service Set Identifier、ＳＳＩＤ）およびパスフレーズ（パスワード）を含む。変更手段１３は、記憶手段１２に記憶されている接続情報を変更する。表示手段１４は、映像を表示する。この例で、無線通信手段１１は、記憶手段１２に記憶されている接続情報に適合した接続情報を用いて第１方式で無線接続してきた外部機器から映像を受信する。表示手段１４は、この外部機器から無線通信手段１１を介して受信した映像を表示する。
【００２６】
無線タグ３０は、第２方式に従って出力された電磁波で起電されて無線応答信号を出力する。第２方式は、いわゆる非接触ＩＣカード技術または近距離無線通信（Near Field Communication、ＮＦＣ）の規格、例えばＩＳＯ／ＩＥＣ１８０９２（ＮＦＣＩＰ−１）、ＩＳＯ／ＩＥＣ１４４４３、またはＩＳＯ／ＩＥＣ１５６９３に準拠した方式である。画像出力装置１０自身が内蔵する無線タグとの対比の意味で、無線タグ３０は「外付け」または「外部の」無線タグといえる。
【００２７】
なお、ここで「無線タグ」とは、電源を有していなくても情報を出力することができる、いわゆるパッシブ型の無線タグをいい、一般にＲＦＩＤ（Radio Frequency IDentifier）またはＩＣタグと言われる場合もある。
【００２８】
ところで、詳しくは後述するが、表示装置の接続情報が変更されることがある。以下、表示装置の接続情報が変更された場合について説明する。
【００２９】
情報処理装置２０Ａは、無線リーダー／ライター２１、取得手段２２、および書き込み手段２３を有する。無線リーダー／ライター２１は、情報の読み出しまたは書き込みのため無線タグ３０と第２方式の無線通信を行う。取得手段２２は、変更された接続情報を取得する。書き込み手段２３は、取得手段２２により取得された接続情報を無線タグ３０に書き込むための信号を、無線リーダー／ライター２１に出力させる。
【００３０】
この例で、画像出力装置１０は、第２方式の近距離無線通信に準拠した無線タグ１５を有する。外付けの無線タグとの対比の意味で、無線タグ１５は「内蔵の」無線タグといえる。無線リーダー／ライター２１は、変更された接続情報を無線タグ１５から読み取る。取得手段２２は、無線リーダー／ライター２１が読み取った接続情報を取得する（すなわち、取得手段２２は、無線リーダー／ライター２１を介して接続情報を取得する。
【００３１】
情報処理装置２０Ａは、無線通信手段２４、受け付け手段２５、および送信手段２６を有する。無線通信手段２４は、画像出力装置１０と第１方式の無線通信を行う。受け付け手段２５は、ユーザーの各種指示を受け付ける。送信手段２６は、無線通信手段２４を介して各種データを画像出力装置１０に送信する。
【００３２】
情報処理装置２０Ｂは、無線リーダー／ライター２１、無線通信手段２４、読み出し手段２７、接続手段２８、および送信手段２６を有する。読み出し手段２７は、無線タグ３０に記憶されている接続情報を、無線リーダー／ライター２１を介して読み出す。接続手段２８は、読み出し手段２７により読み出された接続情報を用いて無線通信手段２４を介して画像出力装置１０に無線接続する。送信手段２６は、接続手段２８により接続されている画像出力装置１０に映像を送信する。
【００３３】
図３は、画像出力装置１０のハードウェア構成を例示する図である。先に述べたように、画像出力装置１０はプロジェクターである。画像出力装置１０は、ＣＰＵ（Central Processing Unit）１００、ＲＯＭ（Read Only Memory）１０１、ＲＡＭ（Random Access Memory）１０２、記憶部１０３、ＩＦ部１０４、画像処理回路１０５、投写ユニット１０６、操作パネル１０７、および無線タグ１０８を有する。
【００３４】
ＣＰＵ１００は、画像出力装置１０の各部を制御する制御装置である。ＲＯＭ１０１は、各種プログラム（以下「制御プログラム」という）およびデータを記憶した不揮発性の記憶装置である。ＲＡＭ１０２は、データを記憶する揮発性の記憶装置であり、ＣＰＵ１００が処理を実行する際のワークエリアとして機能する。記憶部１０３は、接続情報を含むデータを記憶する不揮発性の記憶装置であり、例えばフラッシュメモリ、ＨＤＤ（Hard Disk Drive）またはＳＳＤ（Solid State Drive）などを含む。この例で、記憶部１０３は、無線ＬＡＮ接続された情報処理装置２０から送信された映像を投写させる等、各種の機能を実現するためのデータやプログラムを記憶していてもかまわない。
【００３５】
ＩＦ部１０４は、映像ソースとなる外部装置（例えば情報処理装置２０）と信号またはデータのやりとりを仲介するインターフェースである。ＩＦ部１０４は、外部装置と信号またはデータのやりとりをするための端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子など）および無線ＬＡＮインターフェースを含む。この無線ＬＡＮインターフェースは、画像出力装置１０を無線ＬＡＮのアクセスポイントとして機能させることができる。
【００３６】
画像処理回路１０５は、入力された映像信号（以下「入力映像信号」という）に所定の画像処理を施す。投写ユニット１０６は、画像処理が施された映像信号に従って、スクリーンに画像を投写する。投写ユニット１０６は、光源、光変調器、および光学系、並びにこれらの駆動回路を有する（いずれも図示略）。光源は、高圧水銀ランプ、ハロゲンランプ、若しくはメタルハライドランプなどのランプ、またはＬＥＤ（Light Emitting Diode）若しくはレーザーダイオードなどの固体光源である。光変調器は、光源から照射された光を映像信号に応じて変調する装置であり、例えば透過型の液晶パネルを有する。光学系は、光変調器により変調された光をスクリーンに投写する素子であり、例えばレンズおよびプリズムを有する。この例で、光源および光変調器は、色成分毎に設けられている。具体的には、赤、緑、および青の３原色のそれぞれについて個別に、光源および光変調器が設けられている。各液晶パネルによって変調された光は光学系で合成され、スクリーンに投写される。なお、光変調器は、反射型の液晶パネルやミラーデバイスで構成されていてもよい。
【００３７】
操作パネル１０７は、ユーザーが画像出力装置１０に対し指示を入力するための入力装置であり、例えば、キーパッド、ボタン、またはタッチパネルを含む。無線タグ１０８は、第２方式に準拠した無線タグである。無線タグ１０８は、図２における「内蔵の」無線タグ１５に相当する。
【００３８】
図４は、（内蔵の）無線タグ１０８の構成を例示する図である。無線タグ１０８は、アンテナ１０８１およびＩＣチップ１０８２を有する。アンテナ１０８１は、無線リーダー／ライターから出力される磁場すなわち電磁波（搬送波）を受信する。この磁場を受けると、アンテナ１０８１には電磁誘導により電流が生じる。ＩＣチップ１０８２はこの電流で起動する。
【００３９】
ＩＣチップ１０８２は、メモリー１０８３、コントローラー１０８４、およびインターフェース１０８５を有する。メモリー１０８３は、情報を記憶する不揮発性の記憶装置である。この例では、メモリー１０８３は、画像出力装置１０と無線接続するための接続情報を記憶する。インターフェース１０８５は、ＣＰＵ１００とのデータのやりとりを仲介する有線インターフェースである。この例で、メモリー１０８３には、ＣＰＵ１００により指定された接続情報が書き込まれる。
【００４０】
アンテナ１０８１に電流が流れると、無線リーダー／ライターより受けた磁場と逆向きの磁場（反磁場）が生じる。アンテナ１０８１に流れる電流で起動したコントローラー１０８４は、メモリー１０８３に記憶されている接続情報を含むようにこの反磁場を変調する。無線リーダー／ライターは、この変調された反磁場をデータ信号として読み取る。すなわち、アンテナ１０８１は、無線応答信号を出力する無線応答部である。
【００４１】
再び図３を参照する。ＩＦ部１０４に含まれる無線ＬＡＮインターフェースは、無線通信手段１１の一例である。記憶部１０３は、記憶手段１２の一例である。投写プログラムを実行しているＣＰＵ１００は、変更手段１３の一例である。投写ユニット１０６は、表示手段１４の一例である。
【００４２】
図５は、情報処理装置２０のハードウェア構成を例示する図である。この例で、情報処理装置２０はスマートフォンである。情報処理装置２０は、ＣＰＵ２００、ＲＯＭ２０１、ＲＡＭ２０２、記憶部２０３、無線ＬＡＮインターフェース２０４、表示部２０５、入力部２０６、および無線リーダー／ライター２０７を有する。
【００４３】
ＣＰＵ２００は、情報処理装置２０の各部を制御する制御装置である。ＲＯＭ２０１は、各種プログラムおよびデータを記憶した不揮発性の記憶装置である。ＲＡＭ２０２は、データを記憶する揮発性の記憶装置であり、ＣＰＵ２００が処理を実行する際のワークエリアとして機能する。記憶部２０３は、データおよびプログラムを記憶する不揮発性の記憶装置、例えばＨＤＤ（Hard Disk Drive）またはＳＳＤ（Solid State Drive）を含む。この例で、記憶部２０３は、オペレーティングシステム（以下「ＯＳ」という）、および画像出力装置１０に対し無線ＬＡＮ接続を介して映像を送信するためのアプリケーションプログラム（以下「クライアントアプリケーション」という）を記憶している。
【００４４】
無線ＬＡＮインターフェース２０４は、他の装置（例えば画像出力装置１０）と無線ＬＡＮ通信を行う。表示部２０５は、情報を表示する装置、例えばＬＣＤ（Liquid Crystal Display）を含む。入力部２０６は、情報処理装置２０に対し指示や情報を入力する装置、例えば、タッチスクリーンやキーパッドを含む。
【００４５】
無線リーダー／ライター２０７は、無線リーダー／ライター２１に相当する。クライアントアプリケーションを実行しているＣＰＵ２００は、取得手段２２、書き込み手段２３、受け付け手段２５、送信手段２６、接続手段２８、および読み出し手段２７の一例である。無線ＬＡＮインターフェース２０４は、無線通信手段２４の一例である。
【００４６】
図６は、（外部の）無線タグ３０のハードウェア構成を例示する図である。無線タグ３０は、アンテナ３０１およびＩＣチップ３０２を有する。アンテナ３０１は、無線リーダー／ライターから出力される磁場すなわち電磁波（搬送波）を受信する。この磁場を受けると、アンテナ３０１には電磁誘導により電流が生じる。ＩＣチップ３０２はこの電流で起動する。
【００４７】
ＩＣチップ３０２は、メモリー３０３、およびコントローラー３０４を有する。メモリー３０３は、情報を記憶する不揮発性の記憶装置である。この例では、メモリー３０３は、画像出力装置１０と無線接続するための接続情報を記憶する。
【００４８】
アンテナ３０１に電流が流れると、無線リーダー／ライターより受けた磁場と逆向きの磁場（反磁場）が生じる。アンテナ３０１に流れる電流で起動したコントローラー３０４は、メモリー３０３に記憶されている接続情報を含むようにこの反磁場を変調する。無線リーダー／ライターは、この変調された反磁場をデータ信号として読み取る。
【００４９】
２．動作
情報処理システム１の動作を説明する。ここでは特に、情報処理装置２０が画像出力装置１０と無線ＬＡＮ接続を確立する処理、および無線タグ３０に記憶されている接続情報を更新する処理について、順に説明する。またここでは、一例として以下の状況を想定する。画像出力装置１０（プロジェクター）は、ある会議室の天井に設置されている。この会議室の机には、無線タグ３０が貼り付けられている。無線タグ３０には、画像出力装置１０の接続情報が記憶されている。ユーザーは、自身が日常的に使用している情報処理装置２０（図２の情報処理装置２０Ｂに相当）をこの会議室に持ち込み、情報処理装置２０を映像ソースとして、画像出力装置１０から映像を投写する。
【００５０】
２−１．画像出力装置１０と情報処理装置２０との接続
図７は、画像出力装置１０と情報処理装置２０との接続処理を示すフローチャートである。以下の説明において、クライアントアプリケーション等のソフトウェアを処理の主体として記載する場合があるが、これは、そのプログラムを実行しているＣＰＵ２００等のハードウェア要素が他のハードウェア要素と協働して処理を行うことを意味する。
【００５１】
ステップＳ１００において、ユーザーは、情報処理装置２０を無線タグ３０にかざす。無線リーダー／ライター２０７とアンテナ３０１との距離が近づくと、アンテナ３０１に電流が生じる。この電流により起動したＩＣチップ３０２は、記憶している接続情報をデータ信号として出力する。この例で、接続情報は、画像出力装置１０と無線ＬＡＮ接続を確立するために用いられる情報、具体的には、例えば、ネットワークのＩＰアドレス、画像出力装置１０の識別名、パスフレーズ（パスワード）、および画像出力装置１０のＳＳＩＤおよびパスフレーズ（パスワード）を含んでいる。なお、これらの情報は暗号化されてもよい。
【００５２】
ステップＳ１１０において、クライアントアプリケーションは、無線タグ３０から接続情報を取得する。すなわち、クライアントアプリケーションは、無線リーダー／ライター２０７を介して読み取ったデータ信号から接続情報を抽出する。クライアントアプリケーションは、抽出した接続情報をＲＡＭ２０２に記憶する。
【００５３】
ステップＳ１２０において、クライアントアプリケーションは、取得した接続情報を用いて、画像出力装置１０へ無線ＬＡＮ接続を試みる。無線ＬＡＮインターフェース２０４は、無線ＬＡＮアクセスポイントから出力される識別信号を受信している。この識別信号は、その無線ＬＡＮアクセスポイントのＳＳＩＤを含んでいる。ＯＳは、無線ＬＡＮインターフェース２０４が検出した無線ＬＡＮアクセスポイントの一覧を生成する。クライアントアプリケーションは、この一覧に含まれる無線ＬＡＮアクセスポイントの中から、取得した接続情報に含まれるＳＳＩＤにより特定される無線ＬＡＮアクセスポイント、すなわち画像出力装置１０に、無線ＬＡＮ接続を試みる。
【００５４】
ステップＳ１３０において、情報処理装置２０および画像出力装置１０の間で無線ＬＡＮ接続が確立される。画像出力装置１０の制御プログラムは、記憶部１０３に記憶されている接続情報と適合する接続情報を用いて接続してきた外部機器（この例では情報処理装置２０）と無線ＬＡＮ接続を確立する。ここで説明している無線ＬＡＮ接続は、投写する映像を送信するために用いられる。すなわち、情報処理装置２０は、映像ソースとして機能するために、画像出力装置１０と無線ＬＡＮ接続する。なお、画像出力装置１０は、映像ソースとして同時に無線ＬＡＮ接続する情報処理装置２０の台数に上限を設けてもよい。例えば、画像出力装置１０は、映像ソースとして無線ＬＡＮ接続する情報処理装置２０の数を１台に限定してもよい。ある情報処理装置２０が映像ソースとして画像出力装置１０と無線ＬＡＮ接続している場合において別の情報処理装置２０が映像ソースとして無線ＬＡＮ接続を要求してきたときは、画像出力装置１０は、映像ソースを、新たに接続してきた情報処理装置２０に切り替えてもよい。あるいは、画像出力装置１０は、所定の条件が満たされた場合（例えば所定の指示が入力された場合）に、映像ソースを、新たに接続してきた情報処理装置２０に切り替えてもよい。
【００５５】
画像出力装置との間で無線ＬＡＮ接続が確立されると、クライアントアプリケーションは、この無線ＬＡＮ接続を介して画像出力装置１０への映像の送信を開始する（ステップＳ１４０）。ここでいう「映像」は具体的には映像を示すデータである。また、「映像」は、動画であっても静止画であってもよい。このデータは、例えば、動画ファイルの再生、プレゼンテーションファイルのスライドショー、または複数の静止画ファイルのスライドショー再生のデータである。以後、映像の送信を停止するイベント（例えば、再生の終了や、ユーザーによる再生中止の指示）が発生するまでは、クライアントアプリケーションは、画像出力装置１０に映像を送信し続ける。
【００５６】
ステップＳ１５０において、画像出力装置１０は、情報処理装置２０から送信される映像を投写する。
【００５７】
従来、すなわち、無線タグ３０を用いない場合において、情報処理装置２０が画像出力装置１０と初めて接続するときは、画像出力装置１０と無線ＬＡＮ接続するための接続情報を、情報処理装置２０に入力する必要があった。情報処理装置２０に接続情報に入力する方法の一つに、ユーザーが直接、情報処理装置２０に接続情報を入力する方法がある。具体的には、ユーザーがキーボード（ハードウェアキーボードの場合もあるしソフトウェアキーボードの場合もある）を操作し、ＳＳＩＤおよびパスフレーズ（パスワード）の文字列をクライアントソフトウェアに入力する。この方法では、ユーザーに煩雑な操作を要求することになるし、入力ミスにより接続できないこともある。別の例で、接続情報を示す画像（例えばＱＲコード（登録商標））を画像出力装置１０が投写し、情報処理装置２０がこの画像をカメラで読み取ってデコードすることにより接続情報を得る方法がある。しかしこの例では、画像出力装置１０においては接続情報を示す画像を生成して投写する処理をする必要がある。情報処理装置２０においては、画像を読み取るソフトウェアを起動し、カメラで画像を撮影してこれを接続情報にデコードする必要がある。ユーザーが接続情報を直接入力する方法と比較すると入力ミスの可能性もユーザーの手間も減っているが、ユーザーに多くの操作を要する点においてまだ改善の余地がある。
【００５８】
これに対し本実施形態においては、無線タグ３０に情報処理装置２０をかざすだけで、画像出力装置１０と無線ＬＡＮ接続するための接続情報を情報処理装置２０に取り込むことができる。すなわち、従来より簡単な操作で、情報処理装置２０を画像出力装置１０に無線接続することができる。
【００５９】
２−２．接続情報の更新（変更）
上記の想定において、例えば、会議室に設置されているプロジェクターが新しいものに交換された場合、この会議室の机に貼り付けられている無線タグ３０に記憶されている接続情報を新しいプロジェクターの接続情報に更新する必要がある。あるいは、会議室に設置されているプロジェクターのＳＳＩＤを、セキュリティ上の理由や管理上の理由で変更した場合も、無線タグ３０に記憶されている接続情報を更新する必要がある。ここでは、後者の場合を例に、無線タグにおける接続情報の更新処理を説明する。
【００６０】
図８は、無線タグ３０に記憶されている接続情報の変更処理を示すフローチャートである。図８のフローは、例えば、制御プログラムの設定画面において、ユーザーがＳＳＩＤの変更を指示したことを契機として開始される。
【００６１】
ステップＳ２００において、画像出力装置１０の制御プログラムは、自機のＳＳＩＤを変更する。例えば、画像出力装置１０はリモートコントローラー（図示略）を有しており、ユーザーは、このリモートコントローラーを介してＳＳＩＤの変更指示、および変更後のＳＳＩＤを入力する。制御プログラムは、変更後のＳＳＩＤを記憶部１０３に記憶する。
【００６２】
ステップＳ２１０において、制御プログラムは、無線タグ１０８のメモリー１０８３に記憶されている接続情報を、新たな接続情報に更新する。すなわち、ＣＰＵ１００は、メモリー１０８３に新たなＳＳＩＤを含む接続情報を上書きするための信号を、ＩＣチップ１０８２に出力する。ＩＣチップ１０８２は、この信号に従って、メモリー１０８３に記憶されている接続情報を上書きする。
【００６３】
ステップＳ２２０において、情報処理システム１の管理者（以下、単に「管理者」）は、情報処理装置２０（図２の情報処理装置２０Ａに相当）を、無線タグ１０８にかざす。この前の時点において、管理者は、クライアントアプリケーションの動作を、無線タグ３０の接続情報を更新するための動作モードに切り替える。この動作モードにおいて、クライアントアプリケーションは、まずは無線タグから接続情報を読み取るための準備をする。クライアントアプリケーションは、接続情報の読み取りの準備が整ったことを示す表示を行ってもよい。無線リーダー／ライター２０７とアンテナ１０８１との距離が近づくと、アンテナ１０８１に電流が生じる。この電流により起動したＩＣチップ１０８２は、記憶している接続情報（すなわち更新後のＳＳＩＤを含む新たな接続情報）をデータ信号として出力する。
【００６４】
ステップＳ２３０において、情報処理装置２０のクライアントアプリケーションは、無線タグ１０８から接続情報を取得する。すなわち、クライアントアプリケーションは、無線リーダー／ライター２０７を介して読み取ったデータ信号から接続情報を抽出する。クライアントアプリケーションは、抽出した接続情報をＲＡＭ２０２に記憶する。接続情報の取得が完了すると、クライアントアプリケーションは、無線タグに接続情報を書き込むための準備をする。クライアントアプリケーションは、接続情報の書き込みの準備が整ったことを示す表示を行ってもよい。
【００６５】
ステップＳ２４０において、管理者は、情報処理装置２０を、無線タグ３０にかざす。無線リーダー／ライター２０７とアンテナ３０１との距離が近づくと、アンテナ３０１に電流が生じる。このとき無線リーダー／ライター２０７から出力されている電磁波は、接続情報の更新を行うこと、および更新後のＳＳＩＤを含む新たな接続情報を示している。この電流で起動したコントローラー３０４は、無線リーダー／ライター２０７から出力される信号に従って、メモリー３０３のデータを更新する。すなわち、メモリー３０３に、更新後の接続情報が上書きされる。
【００６６】
ここで、無線タグ１０８を用いない例を考える。この場合において画像出力装置１０の接続情報が変更されたときは、管理者は、まず、無線リーダー／ライターを有する情報処理装置に、変更後の接続情報を入力する必要がある。変更後の接続情報を入力する方法は２−１節で説明した接続情報の入力方法と同様である。これらの方法は、入力ミスおよび操作の煩雑さの点からまだ改善の余地がある。
【００６７】
これに対し本実施形態においては、無線タグ１０８に情報処理装置２０をかざし、引き続き無線タグ３０に情報処理装置２０をかざすだけで、更新された接続情報を無線タグ３０に書き込むことができる。すなわち、従来より簡単な操作で、無線タグ３０に記憶されている接続情報を更新することができる。
【００６８】
３．利用例
図９は、情報処理システム１の利用例を示す図である。この例で、情報処理システム１は、ある会議室において用いられる。この会議室には、３台のプロジェクター（画像出力装置１０Ａ、１０Ｂ、および１０Ｃ）が設置されている。これら３台のプロジェクターは、それぞれ異なるスクリーン（スクリーン２Ａ、２Ｂ、および２Ｃ）に映像を投写する。会議室の机には、タグセット３５が複数箇所に貼り付けられている。タグセット３５は、それぞれ、３つの無線タグ（無線タグ３０Ａ、３０Ｂ、および３０Ｃ）を含んでいる。無線タグ３０Ａ、３０Ｂ、および３０Ｃには、それぞれ、画像出力装置１０Ａ、１０Ｂ、および１０Ｃの接続情報が記憶されている。無線タグ３０Ａ、３０Ｂ、および３０Ｃは、それぞれ、画像出力装置との対応関係を示す外観（例えば、色、マーク、または文字列）を有していてもよい。例えば、画像出力装置１０Ａ、１０Ｂ、および１０Ｃが赤、緑、および青に塗られ（またはこれらの色のラベルが貼り付けられ）、これに合わせて無線タグ３０Ａ、３０Ｂ、および３０Ｃが赤、緑、および青に塗られていてもよい。
【００６９】
会議には、５人の参加者（ユーザーＡ〜Ｅ、図示略）が出席している。各ユーザーは、無線リーダー／ライターを内蔵した情報処理装置（情報処理装置２０Ａ〜Ｅ）を所有している。例えばユーザーＡが、スクリーン２Ａを使ってプレゼンテーションを行おうとする場合、ユーザーＡは、自席の近くのタグセット３５のうち無線タグ３０Ａに、自身の情報処理装置２０Ａをかざす。すると、情報処理装置２０Ａと画像出力装置１０Ａとの間で無線ＬＡＮ接続が確立される。ユーザーＡは、情報処理装置２０Ａに記憶されているプレゼンテーションのファイルを再生しながらプレゼンテーションを行う。
【００７０】
次に、ユーザーＢが、スクリーン２Ｂを使ってプレゼンテーションを行おうとする場合、ユーザーＢは、自席の近くのタグセット３５のうち無線タグ３０Ｂに、自身の情報処理装置２０Ｂをかざす。すると、情報処理装置２０Ｂと画像出力装置１０Ｂとの間で無線ＬＡＮ接続が確立される。ユーザーＢは、情報処理装置２０Ｂに記憶されているプレゼンテーションのファイルを再生しながらプレゼンテーションを行う。
【００７１】
ユーザーＢのプレゼンテーション中およびその後も、情報処理装置２０Ａと画像出力装置１０Ａとの無線ＬＡＮ接続、および情報処理装置２０Ｂと画像出力装置１０Ｂとの無線ＬＡＮ接続を確立したままにすることができる。参加者間の議論においてユーザーＡのプレゼンテーションを参照したくなったときは、ユーザーＡは情報処理装置２０Ａを操作して、所望のスライドを表示させる。ユーザーＢについても同様である。
【００７２】
さらにこの場合において、ユーザーＣが、スクリーン２Ａを使ってプレゼンテーションを行おうとする場合、ユーザーＣは、自席の近くのタグセット３５のうち無線タグ３０Ａに、自身の情報処理装置２０Ｃをかざす。すると、情報処理装置２０Ｃと画像出力装置１０Ａとの間で無線ＬＡＮ接続が確立され、情報処理装置２０Ａの映像ソースは情報処理装置２０Ｃに切り替わる。ユーザーＣは、情報処理装置２０Ｃに記憶されているプレゼンテーションのファイルを再生しながらプレゼンテーションを行う。
【００７３】
例えば、いわゆるノート型のＰＣ（Personal Computer）を有線でプロジェクターに接続するシステムにおいては、映像ソースを切り替えようとすると、ケーブルをあるＰＣから別のＰＣに付け替える必要がある。これに対し情報処理システム１においては、無線タグ３０に情報処理装置２０をかざすだけで映像ソースを切り替えることができる。ただし、ノート型ＰＣが無線リーダー／ライターを備えていれば、情報処理装置として機能することができる。
【００７４】
このように、情報処理システム１によれば、より柔軟に、画像出力装置１０を利用することができる。
【００７５】
４．変形例
本発明は上述の実施形態に限定されるものではなく種々の変形実施が可能である。以下、変形例をいくつか説明する。以下の変形例のうち２つ以上のものが組み合わせて用いられてもよい。
【００７６】
４−１．変形例１
画像出力装置１０において接続情報を更新する方法および更新された接続情報を管理者の情報処理装置２０が取得する方法は、実施形態で説明したものに限定されない。例えば、更新後の接続情報を管理者の情報処理装置２０から画像出力装置１０に送信してもよい。この場合、まず、管理者の情報処理装置２０は、画像出力装置１０と無線ＬＡＮ接続を確立する。クライアントアプリケーションは、画像出力装置１０の接続情報の変更を指示する機能を有する。クライアントアプリケーションは、変更後の接続情報を管理者に入力させるための画面を、表示部２０５に表示する。管理者は、入力部２０６を操作し、新たな接続情報（例えば新たなＳＳＩＤ）を入力する。クライアントアプリケーションは、接続情報の更新指示を、無線ＬＡＮ接続を介して画像出力装置１０に送信する。この更新指示は、新たな接続情報を含んでいる。無線ＬＡＮ接続している情報処理装置２０から接続情報の更新指示を受信すると、画像出力装置１０のＣＰＵ１００は、無線タグ１０８のメモリー１０８３に新たな接続情報を書き込む（すなわちメモリー１０８３に記憶されている接続情報を更新する）。メモリー１０８３に記憶されている接続情報を更新すると、画像出力装置１０は、接続情報の更新が完了した旨を情報処理装置２０に通知する。画像出力装置１０から接続情報の更新完了の通知を受信すると、情報処理装置２０のクライアントアプリケーションは、無線タグ３０に更新情報を書き込むための準備をする。以下、無線タグ３０に更新情報を書き込む処理は、実施形態で説明したとおりである。無線タグ３０に記憶されている接続情報を更新すると、情報処理装置２０は、画像出力装置１０を再起動させる。画像出力装置１０の再起動後、情報処理装置２０は、新たな接続情報を用いて画像出力装置１０と無線ＬＡＮ接続する。
【００７７】
すなわちこの例で、受け付け手段２５は、接続情報を変更するユーザーの指示を受け付ける。送信手段２６は、受け付け手段２５が受け付けた指示に従って接続情報を変更させるための情報を、無線通信手段２４を介して画像出力装置１０に出力する。取得手段２２は、変更された接続情報を、受け付け手段２５を介して取得する。
【００７８】
プロジェクターが天井に設置されている場合など、情報処理装置２０を無線タグ１０８にかざすのが困難なときに本変形例は有効である。また、実施形態では画像出力装置１０のリモートコントローラーでＳＳＩＤを変更する例を説明したが、リソースの関係上、情報処理装置２０（クライアントアプリケーション）のＵＩの方が画像出力装置１０（制御プログラム）のＵＩよりも操作性に優れている場合がある。このような場合、情報処理装置２０から接続情報を変更できた方が便利である。また、本変形例１において、画像出力装置１０は、無線タグ１０８を有していなくてもよい。
【００７９】
なお別の例で、画像出力装置１０が、無線タグ３０に接続情報を書き込むための無線リーダー／ライターを有していてもよい。この場合、無線タグ３０が貼り付けてあるならば、無線タグ３０を取り外して画像出力装置１０の無線リーダー／ライターにかざすことにより、無線タグ３０に記憶されている接続情報を更新する。その後再度貼り付けなおすことにより、変更された接続情報をユーザーは利用できる。しかし、画像出力装置１０に無線リーダー／ライターを搭載するとコストが増加してしまうので、コストを低減する観点からは、実施形態で説明したように、画像出力装置１０は無線リーダー／ライターを有さないことが望ましい。
【００８０】
４−２．変形例２
変更後の接続情報を無線タグ１０８を介して情報処理装置２０に出力する方法は、実施形態で説明したものに限定されない。例えば、無線リーダー／ライターが出力した電磁波により起電されると、コントローラー１０８４は、インターフェース１０８５を介してＣＰＵ１００に起電されたことを示す通知を出力してもよい。無線タグ１０８から通知を受けると、ＣＰＵ１００は、更新後の接続情報を無線タグ１０８に出力する。コントローラー１０８４は、ＣＰＵ１００から出力された接続情報を、アンテナ１０８１を介して出力する。すなわちこの場合、更新後の接続情報は、無線タグ１０８のメモリー１０８３には記憶されておらず、アンテナ１０８１を介して出力される更新後の接続情報は、画像出力装置１０の記憶部１０３またはＲＡＭ１０２に記憶されている。なお、接続情報をアンテナ１０８１を介して出力した後に、または、出力すると同時にメモリー１０８３に接続情報を記憶してもかまわない。
【００８１】
４−３．他の変形例
画像出力装置１０の機能は、図２で例示したものに限定されない。図２で例示した機能の一部が省略されてもよい。また、画像出力装置１０のハードウェア構成は、図３で例示したものに限定されない。要求される機能を実現できるものであれば、画像出力装置１０はどのようなハードウェア構成を有していてもよい。
【００８２】
表示装置はプロジェクターに限定されず、直視のディスプレイであってもよい。また、画像出力装置１０は、実施形態で説明した表示装置に限定されない。画像出力装置１０は、プリンター等の画像形成装置であってもよい。この場合、情報処理装置２０から画像出力装置１０に送信されるデータは、プリントされる画像のデータである。
【００８３】
情報処理装置２０の機能は、図２で例示したものに限定されない。図２で例示した機能の一部が省略されてもよい。また、図２では情報処理装置２０Ａの機能と情報処理装置２０Ｂの機能とを分けて説明したが、単一の情報処理装置２０が両者の機能を併せ持っていてもよい。
【００８４】
情報処理装置２０の機能を実現するためのソフトウェアは、実施形態で説明したものに限定されない。情報処理装置２０Ａの機能を実現するソフトウェアと、情報処理装置２０Ｂの機能を実現するソフトウェアは、それぞれ別であってもよい。また、接続情報に含まれる情報は、実施形態で例示したものに限定されない。
【００８５】
情報処理装置２０の機能を実現するためのハードウェア構成は図５で説明したものに限定されない。要求される機能を実現できるものであれば、情報処理装置２０はどのようなハードウェア構成を有していてもよい。
【００８６】
画像出力装置１０および情報処理装置２０の少なくとも一方において実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータ読み取り可能な記録媒体に記憶した状態で提供されてもよい。また、このプログラムは、インターネットのようなネットワーク経由でダウンロードされてもよい。
【符号の説明】
【００８７】
１…情報処理システム、２…スクリーン、１０…画像出力装置、１１…無線通信手段、１２…記憶手段、１３…変更手段、１４…表示手段、１５…無線タグ、２０…情報処理装置、２１…無線リーダー／ライター、２２…取得手段、２３…書き込み手段、２４…無線通信手段、２５…受け付け手段、２６…送信手段、２７…読み出し手段、２８…接続手段、３０…無線タグ、１００…ＣＰＵ、１０１…ＲＯＭ、１０２…ＲＡＭ、１０３…記憶部、１０４…ＩＦ部、１０５…画像処理回路、１０６…投写ユニット、１０７…操作パネル、１０８…無線タグ、１０８１…アンテナ、１０８２…ＩＣチップ、１０８３…メモリー、１０８４…コントローラー、１０８５…インターフェース、２００…ＣＰＵ、２０１…ＲＯＭ、２０２…ＲＡＭ、２０３…記憶部、２０４…無線ＬＡＮインターフェース、２０５…表示部、２０６…入力部、２０７…無線リーダー／ライター、３０１…アンテナ、３０２…ＩＣチップ、３０３…メモリー、３０４…コントローラー
【図１】
0006582379.tif 000002
【図２】
0006582379.tif 000003
【図３】
0006582379.tif 000004
【図４】
0006582379.tif 000005
【図５】
0006582379.tif 000006
【図６】
0006582379.tif 000007
【図７】
0006582379.tif 000008
【図８】
0006582379.tif 000009
【図９】
0006582379.tif 000010